(57)【要約】【課題】配線作業の際に、需要家側に停電を発生させず設置することができ、且つ設置スペースを縮小し、設置後も外観上の美観を損なわない電力量計用通信装置を提供する。【解決手段】電力量計１で計量された計量データを外部に伝送する伝送信号入出力部及びこの伝送信号入出力部に電源を供給する電源部を収納するケース１３，１５と、ケース内に設けられ、伝送信号入出力部と電力量計１の通信用端子４とを接続するための通信端子１１ａと、ケース内に設けられ、電源部と電力量計１の配電線用端子３とを接続するための電源端子１１ｂと、ケースを電力量計のカバー端子部に固定するための上ケース固定ねじ１０ａとを備え、上ケース固定ねじ１０ａにより、ケースが電力量計１のカバー端子部９に固定されたとき、通信端子１１ａが電力量計１の通信用端子４に接続され、電源端子１１ｂが電力量計１の配電線用端子３に接続される。【選択図】図２
2006275789.tif 000002
【特許請求の範囲】
【請求項１】
使用電力量を計量する電力量計の通信用端子から出力される計量データを外部に伝送する電力量計用通信装置であって、
前記電力量計で計量された計量データを外部に伝送する伝送信号入出力部及びこの伝送信号入出力部に電源を供給する電源部を収納するケースと、
前記ケース内に設けられ、前記電力量計の通信用端子と前記ケースに収納された前記伝送信号入出力部とを接続するための通信端子と、
前記ケース内に設けられ、前記電力量計の配電線用端子と前記ケースに収納された前記電源部とを接続するための電源端子と、
前記ケースを前記電力量計のカバー端子部に固定するための固定部材と、
を備え、
この固定部材により前記ケースが前記電力量計のカバー端子部に固定されたとき、前記通信端子が前記電力量計の通信用端子に接続され、前記電源端子が前記電力量計の配電線用端子に接続されることを特徴とする電力量計用通信装置。
【請求項２】
使用電力量を計量する電力量計の通信用端子から出力される計量データを外部に伝送する電力量計用通信装置であって、
前記電力量計で計量された計量データを外部に伝送する伝送信号入出力部が収納された通信装置本体と、
前記伝送信号入出力部に電源を供給する電源部を収納するケースと、
前記ケース内に設けられ、電力量計の通信用端子と前記通信装置本体に収納された伝送信号入出力部とを接続するための通信端子と、
前記ケース内に設けられ、電力量計の配電線用端子と前記ケースに収納された電源部とを接続するための電源端子と、
前記通信端子と前記通信装置本体に収納された伝送信号入出力部とを接続するとともに前記ケースに収納された前記電源部と前記通信装置本体に収納された伝送信号入出力部とを接続する共用ケーブルと、
前記ケースを前記電力量計のカバー端子部に固定するための固定部材と、
を備え、
前記固定部材により前記ケースが前記電力量計のカバー端子部に固定されたとき、前記通信端子が前記電力量計の通信用端子に接続され、前記電源端子が前記電力量計の配電線用端子に接続されることを特徴とする電力量計用通信装置。
【請求項３】
使用電力量を計量する電力量計の通信用端子から出力される計量データを外部に伝送する電力量計用通信装置であって、
前記電力量計で計量された計量データを外部に伝送する伝送信号入出力部及びこの伝送信号入出力部に電源を供給する電源部が収納された通信装置本体と、
前記電力量計の通信用端子と前記通信装置本体に収納された伝送信号入出力部とを接続するための通信端子と、
前記電力量計の配電線用端子と前記通信装置本体に収納された電源部とを接続するための電源端子と、
前記通信端子及び前記電源端子が収納されたケースと、
このケースに収納された前記通信端子と前記通信装置本体に収納された伝送信号入出力部とを接続するとともに前記ケースに収納された前記電源端子と前記通信装置本体に収納された前記電源部とを接続する共用ケーブルと、
前記ケースを前記電力量計のカバー端子部に固定するための固定部材と、
を備え、
前記固定部材により前記ケースが前記電力量計のカバー端子部に固定されたとき、前記通信端子が前記電力量計の通信用端子に接続され、前記電源端子が前記電力量計の配電線用端子に接続されることを特徴とする電力量計用通信装置。
【請求項４】
前記ケースと前記電力量計のカバー端子部との間にパッキンを設け、前記ケースと前記パッキンとの接合部にリブを設け、このリブが前記パッキンに嵌まり込むことを特徴とする請求項１乃至請求項３のいずれか１項に記載の電力量計用通信装置。
【請求項５】
前記ケースに固定用穴を設け、前記固定部材に封印穴を設け、前記固定用穴と前記封印穴とを通したワイヤを封印部材で圧着させて、封印を行うことを特徴とする請求項１乃至請求項４のいずれか１項に記載の電力量計用通信装置。
【発明の詳細な説明】
【技術分野】
【０００１】
本発明は、通信機能付き電力量計から得られた計量データを有線または無線により外部に送信する電力量用通信装置に関し、特に、電力量計用通信装置を電力量計に取り付けるための構造に関する。
【背景技術】
【０００２】
近年、電力量計の検針作業は、人が目視で電力量を確認する目視確認から、遠隔地に設置された外部データ読出装置や集中管理センタから無線または有線の通信装置を用いて検針を行なう遠隔検針へと移行しつつある。
【０００３】
図９に従来の電力量計及び電力量計用通信装置の設置状態を示す。図９に示す電力量計１は、計量データを外部に伝送できる通信機能付き電力量計であり、カバー端子部９に配電線が接続される配電線用端子３、電力量計１で計量された計量データを伝送する際に使用される通信用端子４及び電力量計１のカバー端子部９の防水性を確保するための端子カバー８を有し、端子カバー８は端子カバー固定用ねじ１０でカバー端子部９に固定されている。また、電力量計１は、外観上の美観を損なわず、耐候性を向上させるために化粧ボックス７や計器箱等の筐体内に設置される場合が多い。
【０００４】
図９に示す従来の電力量計用通信装置２は、電力量計１から電力量計用通信装置２に電源を供給する電源ケーブル５と電力量計１で計量された計量データを伝送する通信ケーブル６とで電力量計１と接続されている。電源ケーブル５は、電力量計１側の先端に半円状の平板圧着端子が取り付けられており、この平板圧着端子が電力量計１の配電線用端子３に配電線と共締めにて接続されている。通信ケーブル６は、電力量計１側の先端に棒状の圧着端子が取り付けられており、電力量計１の通信用端子４に直接差し込んで接続されている。
【０００５】
また、このような遠隔検針を行うためのシステムとして、無線ユニットに設定される呼出番号等の特定データを自動的に設定して無線ユニットの保守・拡張を自動的に行い、しかも外部からの不正な通信加入を防止できるようにした高セキュリティ性を有する無線ユニット管理システムが知られている（例えば、特許文献１参照）。この無線ユニット管理システムは、無線ユニットのデータをデータ収集ユニットが収集して無線ユニットを管理するものであり、無線ユニットに同ユニットを特定するための特定データを複数保有させている。
【特許文献１】特開平１１−２９８９７４号公報
【発明の開示】
【発明が解決しようとする課題】
【０００６】
しかし、図９に示した従来の電力量計用通信装置２を、既に設置されている電力量計１に新たに設置する場合、電力量計用通信装置２の電源ケーブル５を配電線とともに電力量計１の配電線用端子３に接続するため、配電線用端子３のねじを緩めて、需要家側を一時的に停電させ、設置作業を行なわなければならない。このため、設置作業を行う場合には事前に需要家に対し、一時的に停電が発生することを通知したり、設置可能時間帯を調整したりする必要があり、設置作業に手間がかかっていた。
【０００７】
また、電力量計１を収納する化粧ボックス７や計器箱等の筐体は、大きさが電力量計１より多少大きい程度であり、電力量計１と一緒に電力量計用通信装置２を収納するスペースがなく、電力量計用通信装置２は、化粧ボックス７や計器箱等の筐体の外に設置されている。このため、新たに電力量計用通信装置２を設置する場合、化粧ボックス７や計器箱等の筐体設置スペース以外に電力量計用通信装置２の設置スペースを確保する必要があるとともに外観上の美観を損ねる等の問題が発生していた。
【０００８】
本発明は、上述した問題を解消するためになされたものであり、その課題は、配線作業の際に、需要家側に停電を発生させず設置することができ、且つ設置スペースを縮小し、設置後も外観上の美観を損なわない電力量計用通信装置を提供することにある。
【課題を解決するための手段】
【０００９】
本発明は、前記課題を解決するために以下の手段を採用した。請求項１の発明は、使用電力量を計量する電力量計の通信用端子から出力される計量データを外部に伝送する電力量計用通信装置であって、電力量計で計量された計量データを外部に伝送する伝送信号入出力部及びこの伝送信号入出力部に電源を供給する電源部を収納するケースと、ケース内に設けられ、電力量計の通信用端子とケースに収納された伝送信号入出力部とを接続するための通信端子と、ケース内に設けられ、電力量計の配電線用端子とケースに収納された電源部とを接続するための電源端子と、ケースを電力量計のカバー端子部に固定するための固定部材とを備え、この固定部材によりケースが電力量計のカバー端子部に固定されたとき、通信端子が電力量計の通信用端子に接続され、電源端子が電力量計の配電線用端子に接続されることを特徴とする。
【００１０】
請求項２の発明は、使用電力量を計量する電力量計の通信用端子から出力される計量データを外部に伝送する電力量計用通信装置であって、電力量計で計量された計量データを外部に伝送する伝送信号入出力部が収納された通信装置本体と、伝送信号入出力部に電源を供給する電源部を収納するケースと、ケース内に設けられ、電力量計の通信用端子と通信装置本体に収納された伝送信号入出力部とを接続するための通信端子と、ケース内に設けられ、電力量計の配電線用端子とケースに収納された電源部とを接続するための電源端子と、通信端子と通信装置本体に収納された伝送信号入出力部とを接続するとともにケースに収納された電源部と通信装置本体に収納された伝送信号入出力部とを接続する共用ケーブルと、ケースを電力量計のカバー端子部に固定するための固定部材とを備え、固定部材によりケースが電力量計のカバー端子部に固定されたとき、通信端子が電力量計の通信用端子に接続され、電源端子が電力量計の配電線用端子に接続されることを特徴とする。
【００１１】
請求項３の発明は、使用電力量を計量する電力量計の通信用端子から出力される計量データを外部に伝送する電力量計用通信装置であって、電力量計で計量された計量データを外部に伝送する伝送信号入出力部及びこの伝送信号入出力部に電源を供給する電源部が収納された通信装置本体と、電力量計の通信用端子と通信装置本体に収納された伝送信号入出力部とを接続するための通信端子と、電力量計の配電線用端子と通信装置本体に収納された電源部とを接続するための電源端子と、通信端子及び電源端子が収納されたケースと、このケースに収納された通信端子と通信装置本体に収納された伝送信号入出力部とを接続するとともにケースに収納された電源端子と通信装置本体に収納された電源部とを接続する共用ケーブルと、ケースを電力量計のカバー端子部に固定するための固定部材とを備え、固定部材により、ケースが電力量計のカバー端子部に固定されたとき、通信端子が電力量計の通信用端子に接続され、電源端子が電力量計の配電線用端子に接続されることを特徴とする。
【００１２】
請求項４の発明は、請求項１乃至請求項３のいずれか１項に記載の電力量計用通信装置において、ケースと電力量計のカバー端子部との間にパッキンを設け、ケースとパッキンとの接合部にリブを設け、このリブがパッキンに嵌まり込むことを特徴とする。
【００１３】
請求項５の発明は、請求項１乃至請求項４のいずれか１項に記載の電力量計用通信装置において、ケースに固定用穴を設け、固定部材に封印穴を設け、固定用穴と封印穴とを通したワイヤを封印部材で圧着させて、封印を行うことを特徴とする。
【発明の効果】
【００１４】
請求項１の発明によれば、伝送信号入出力部及び電源部をケースに収納し、このケース内に、伝送信号入出力部と電力量計の通信用端子とを接続するための通信端子と、電源部と電力量計の配電線用端子とを接続するための電源端子とを設け、ケースが電力量計のカバー端子部に固定されると、通信端子と電力量計の通信用端子とが接続され、電源端子と電力量計の配電線用端子とが接続されるので、電力量計及び配電線を取り外さずに設置でき、設置時に需要家側を停電させず、配電線接続工事も不要となり、取り付け作業が容易となる。また、ケースは電力量計のカバー端子部に固定されるので、化粧ボックスや計器箱等の筐体内に電力量計とともに設置でき、外観上の美観を損なわずに設置することができる。
【００１５】
請求項２の発明によれば、伝送信号入出力部を通信装置本体に収納し、電源部をケースに収納し、このケース内に、伝送信号入出力部と電力量計の通信用端子とを接続するための通信端子と、電源部と電力量計の配電線用端子とを接続するための電源端子とを設け、通信端子と通信装置本体に収納された伝送信号入出力部とを接続するとともにケースに収納された電源部と通信装置本体に収納された伝送信号入出力部とを共用ケーブルにより接続し、ケースが電力量計のカバー端子部に固定されると、通信端子と電力量計の通信用端子とが接続され、電源端子と電力量計の配電線用端子とが接続されるので、電力量計及び配電線を取り外さずに設置できるので、設置時に需要家側を停電させず、配線接続工事も不要となり、取り付け作業が容易となる。また、伝送信号入出力部を通信装置本体に収納したので、高耐雷性能や大電源容量が必要な電源の場合にも、電力量計のカバー端子部に設置するケースを小さくできる。
【００１６】
請求項３の発明によれば、伝送信号入出力部及び電源部を通信装置本体に収納し、この通信装置本体と共用ケーブルにより接続されたケースが電力量計のカバー端子部に取り付けられると同時に、通信端子及び電源端子により、電力量計と接続され、電力量計及び配電線を外さずに電力量計に設置できるので、設置時に需要家側を停電させずに、配線接続工事も不要となり、設置作業が容易になる。また、伝送信号入出力部及び電源部を収納した通信装置本体と、ケースと、通信装置本体とケースとを接続する共用ケーブルとから構成したので、高耐雷性能や大電源容量が必要な電源の場合にも、電力量計のカバー端子部に設置するケースを小さくできる。
【００１７】
請求項４の発明によれば、ケースと電力量計のカバー端子部との間に設けたパッキンとケースとの接合部にリブを設け、このリブがパッキンに嵌まり込むので、電力量計のカバー端子部の防水性能を高めることができ、耐侯性が優れ信頼性が高まる。
【００１８】
請求項５の発明によれば、ケースに固定用穴を設け、固定部材に封印穴を設け、固定用穴と封印穴とを通したワイヤを封印部材で圧着させて、封印を行うので、封印作業性が向上する。
【発明を実施するための最良の形態】
【００１９】
以下、本発明の実施例に係る電力量計用通信装置を図面を参照しながら詳細に説明する。なお、以下では、背景技術の欄で説明した電力量計及び電力量計用通信装置の構成部分と同一又は相当部分には、背景技術の欄で使用した符号と同一の符号を用いて説明する。
【実施例１】
【００２０】
図１は本発明の実施例１に係る電力量計用通信装置２ａを電力量計１に取り付けた状態を示す外観斜視図である。電力量計用通信装置２ａは、上ケース固定用ねじ１０ａにより、電力量計１のカバー端子部９にねじ止めで固定されている。
【００２１】
図２は本発明の実施例１に係る電力量計用通信装置２ａの分解斜視図である。図２に示すように、実施例１の電力量計用通信装置２ａは、回路基板１２、回路基板１２と電力量計１の通信用端子４とを接続するための通信端子１１ａ、回路基板１２と電力量計１の配電線用端子３とを接続するための電源端子１１ｂ、回路基板１２が固定される内ケース１３、内ケース１３を覆うように収納する上ケース１５、及び上ケース１５の背面に設けられるパッキン１７とから構成されている。
【００２２】
回路基板１２は、伝送信号入出力部及び電源部を搭載している。伝送信号入出力部は、通信端子１１ａを介して電力量計１で計量されたデータを受信し、この計量データを無線または有線により、遠隔地に設置された外部データ読出装置や集中管理センタへ伝送する。電源部は、電源端子１１ｂを介して電力量計１から供給される交流電圧を、直流電圧に変換して伝送信号入出力部に供給する。この回路基板１２は、通信端子接続部２４に通信端子１１ａの一端を挿入することにより、通信端子１１ａと伝送信号入出力部とが接続され、電源端子接続部２５に電源端子１１ｂの一端を挿入することにより、電源端子１１ｂと電源部とが接続される。回路基板１２は、通信端子１１ａ及び電源端子１１ｂを接続後、四隅を回路基板固定用ねじ１４により、ねじ止めで内ケース１３に固定される。
【００２３】
内ケース１３には、通信端子用穴２６及び電源端子用穴２７が設けられており、通信端子１１ａ及び電源端子１１ｂは、これらを通り内ケース１３を貫通している。上ケース１５は、内ケース１３を覆うように取り付けられ、上ケース１５の背面から、内ケース１３の背面下端部２ヵ所に設けられた内ケース固定用ねじ穴１６ａに、内ケース固定用ねじ１６を螺合させて、上ケース１５に内ケース１３を固定する。また、上ケース１５は、上端部２ヶ所に上ケース固定用ねじ１０ａにより、電力量計１のカバー端子部９にねじ止めされる。
【００２４】
パッキン１７は、従来の端子カバー８と同様の防水性能を確保するために設けられたもので、上ケース１５の背面開口部から嵌め込まれる。また、パッキン１７には、通信端子用穴２８、電源端子用穴２９及びねじ貫通穴１０ｂが設けられており、通信端子１１ａ、電源端子１１ｂ及び上ケース固定用ねじ１０ａがパッキン１７を貫通するようになっている。
【００２５】
通信端子１１ａ及び電源端子１１ｂは、例えば図３に示すように、プローブ１８、ガイド１９及びバネ２０で構成されている。これらは導電性の金属からなり、プローブ１８がバネ２０側に押圧されることにより収縮する構造になっている。通信端子１１ａ及び電源端子１１ｂのバネ２０側の端部は、回路基板１２に接続され、プローブ１８は、内ケース１３及びパッキン１７を貫通し、電力量計１側に向けられて固定されている。
【００２６】
図４は、このように構成された本発明の実施例１に係る電力量計用通信装置２ａを電力量計１に取り付ける前の背面から見た外観と電力量計１の外観を示す斜視図である。図４に示すように、電力量計用通信装置２ａの通信端子１１ａと電力量計１の通信用端子４との位置を合わせ、電力量計用通信装置２ａの電源端子１１ｂと電力量計１の配電線用端子３との位置を合わせ、上ケース固定用ねじ１０ａにより、電力量計用通信装置２ａが電力量計１のカバー端子部９に正面から取り付けられ、ねじ止めされる。電力量計用通信装置２ａは、カバー端子部９にねじ止めされることで、通信端子１１ａのプローブ１８は通信用端子４に、電源端子１１ｂのプローブ１８は配電線用端子３にそれぞれ押圧され、回路基板１２と電力量計１とが接続される。また、このとき上ケース１５に嵌め込まれたパッキン１７は、上ケース１５とカバー端子部９間で締め付けられた状態で固定される。図５は化粧ボックス7内に本発明の実施例１に係る電力量計用通信装置を電力量計１とともに取り付けた状態を示す外観斜視図である。
【００２７】
以上説明したように、実施例１に係る電力量計用通信装置２ａは、上ケース１５が電力量計１のカバー端子部９に上ケース固定ねじ１０ａにより固定されると、通信端子１１ａが電力量計１の通信用端子４に接続され、電源端子１１ｂが電力量計１の配電線用端子３に接続されるので、配電線用端子３のねじを緩めて、配電線を外すことなく設置することができる。このため、電力量計用通信装置２ａは、需要家側に停電を発生させずに設置でき、配線接続工事も不要になり、設置作業が容易にできる。
【００２８】
また、図５に示すように、電力量計用通信装置２ａを、電力量計１のカバー端子部９に電力量計１の正面方向から取り付けたので、電力量計１が収納されている化粧ボックス７や計器箱等の筐体内に電力量計１とともに収納することができる。このため、電力量計用通信装置２ａの新たな収納スペースを確保する必要がなく、外観上の美観を損なうこともない。
【００２９】
また、上ケース１５と電力量計１のカバー端子部９との間にパッキン１７を設け、電力量計用通信装置２ａが上ケース固定用ねじ１１ａにより、電力量計１のカバー端子部９にねじ止めされることで、パッキン１７が上ケース１５と電力量計１のカバー端子部９間で締め付けられた状態で固定されるので、従来の端子カバー８と同様の防水性能を確保できる。従って、従来の電力量計１の端子カバー８を取り付ける作業がなくなり、設置工事性が向上する。
【実施例２】
【００３０】
図６は本発明の実施例２に係る電力量計用通信装置を電力量計に取り付けた状態を示す外観斜視図である。実施例２の電力量計用通信装置は、実施例１の電力量計用通信装置２ａが、電力量計１とともに化粧ボックス７や計器箱等の筐体に収納することができない場合に、実施例１の電力量計用通信装置２ａを、通信装置本体２ｂと、端子ケース２ｃとに分離して設けたものである。その他の構成は、図１から図５に示す実施例１の構成と同一構成であり、同一部分には同一符号を付し、その詳細は省略する。
【００３１】
図６に示すように、端子ケース２ｃは、電力量計１のカバー端子部９に取り付けられ、電力量計１とともに化粧ボックス７や計器箱等の筐体（図示しない）に収納され、通信装置本体２ｂは、筐体の外部に設けられ、例えば４芯ケーブルからなる共用ケーブル２３により、端子ケース２ｃに接続されている。
【００３２】
端子ケース２ｃは、実施例１のケースと同様に内ケース１３と上ケース１５とで構成されている。端子ケース２ｃ内の回路基板１２は電源部を搭載し、通信端子１１ａ、電源端子１１ｂが接続されている。また、実施例１の回路基板１２に搭載されていた伝送信号入出力部は、通信装置本体２ｂ内に設け、回路基板１２を小さくし、これに応じて、上ケース１５及び内ケース１３も小さくした。また、端子ケース２ｃの内部で、回路基板１２上の通信端子１１ａ及び電源部は、共用ケーブル２３と接続されている。パッキン１７は、実施例１と同様に構成され、端子ケース２ｃと電力量計１のカバー端子部９間で締め付けられた状態で固定されている。
【００３３】
通信装置本体２ｂには、伝送信号入出力部が収納されている。伝送信号入出力部は、共用ケーブル２３を介して、端子ケース２ｃ内の通信端子１１ａ及び電源部と接続されている。端子ケース２ｃは、実施例１の電力量計用通信装置２ａと同様の方法で電力量計１に取り付けられる。
【００３４】
以上説明したように、実施例２に係る電力量計用通信装置によれば、端子ケース２ｃが実施例１の電力量計用通信装置２ａと同様の方法で電力量計１のカバー端子部９に取り付けられるので、需要家側に停電を発生させずに設置でき、配線接続工事が不要になり、設置作業が容易にできる。
【００３５】
また、端子ケース２ｃが電力量計１に固定されると、パッキン１７が端子ケース２ｃと電力量計１のカバー端子部９間で締め付けられた状態で固定されるので、従来の端子カバー８と同様の防水性能を確保できるので、従来の電力量計１の端子カバー８を取り付ける作業がなくなり、設置工事性が向上する。
【００３６】
また、電力量計用通信装置を、通信装置本体２ｂと端子ケース２ｃとに分離させたので、高耐雷性能や大電源容量が必要な電源の場合や、電力量計用通信装置の伝送信号入出力部の回路規模が大きな装置の場合にも、電力量計１のカバー端子部９に設置する端子ケース２ｃの形状を小さくでき、端子ケース２ｃを化粧ボックス７や計器箱等の筐体に収納することができる。
【実施例３】
【００３７】
実施例３は、実施例２の端子ケース２ｃをさらに小さくするために、端子ケースには、通信端子１１ａ及び電源端子１１ｂが設けられ、伝送信号入出力部及び電源部は、化粧ボックス７や計器箱等の筐体外部の通信装置本体２ｂ内に設けられたものである。その他の構成は、実施例２の構成と同一構成であり、同一部分には同一符号を付し、その詳細は省略する。
【００３８】
端子ケースは、実施例２の端子ケース２ｃと同様に構成され、端子ケース内には、電源部及び伝送信号入出力部を設けず、回路基板をさらに小さくし、上ケース１５及び内ケース１３もさらに小さくした。また、端子ケース２ｃの内部で、回路基板上の通信端子１１ａ及び電源端子１１ｂは、共用ケーブル２３と接続されている。パッキン１７は、実施例２と同様に構成され、端子ケース２ｃと電力量計１のカバー端子部９間で締め付けられた状態で固定されている。
【００３９】
通信装置本体２ｂには、伝送信号入出力部及び電源部が収納され、伝送信号入出力部は、共用ケーブル２３を介して端子ケース２ｃ内の通信端子１１ａと接続され、電源部は、共用ケーブル２３を介して端子ケース２ｃ内の電源端子１１ｂと接続されている。端子ケース２ｃは、実施例２の端子ケース２ｃと同様の方法で電力量計１に取り付けられる。
【００４０】
なお、端子ケース２ｃ内に設けられた通信端子１１ａ及び電源端子１１ｂは、端子ケース２ｃ内の回路基板上で接続するものとしたが、端子ケース２ｃ内に回路基板を設けず、通信端子１１ａ及び電源端子１１ｂと共用ケーブル２３とを圧着により直接接続しても良い。
【００４１】
以上説明したように、実施例３に係る電力量計用通信装置によれば、実施例２の電力量計用通信装置の効果と同様の効果が得られる。また、端子ケース２ｃをさらに小型化することができる。
【実施例４】
【００４２】
実施例４に係る電力量計用通信装置は、上ケース１５のパッキン１７との接合部にリブを設けたものである。その他の構成は、実施例１乃至実施例３のいずれかの構成と同一構成であり、同一部分には同一符号を付し、その詳細は省略する。
【００４３】
図７はリブが設けられた上ケースを示す外観斜視図である。図７に示すように、リブ３０は、上ケース１５の背面開口部のパッキン１７との接合部に形成された凸部からなり、リブ３０にパッキン１７を嵌め込むことができる。リブ３０が形成され、このリブ３０にパッキン１７を嵌め込んだ上ケース１５を、電力量計１のカバー端子部９に取り付けることにより、カバー端子部９とパッキン１７との密着度が増し、防水性能がさらに高まる。
【００４４】
以上説明したように、実施例４に係る電力量計用通信装置によれば、実施例１の電力量計用通信装置の効果と同様の効果が得られる。また、上ケース１５にリブ３０を設け、このリブ３０にパッキン１７を嵌め込み、上ケース１５を電力量計１のカバー端子部９に取り付けたので、電力量計用通信装置と電力量計との接合部の防水性能をさらに高めることができる。
【実施例５】
【００４５】
図８は、実施例５に係る電力量計用通信装置の上ケース固定用ねじ１０ａの周辺を拡大した拡大斜視図である。実施例５に係る電力量計用通信装置は、電力量計用通信装置と電力量計１との接続部分の封印を行うための構成を追加したものである。その他の構成は、実施例１から実施例４のいずれかの構成と同一構成であり、同一部分には同一符号を付し、その詳細は省略する。
【００４６】
図８に示すように、実施例５の電力量計用通信装置は上ケース１５に固定用穴３１を設け、上ケース固定用ねじ１０ａに封印穴３２を設けている。固定用穴３１と封印穴３２とにワイヤ３３を通し、このワイヤ３３の両端に封印玉３４を圧着させる。これにより、電力量計用通信装置と電力量計１との接続部分が封印される。
【００４７】
以上説明したように、実施例５に係る電力量計用通信装置によれば、実施例１の電力量計用通信装置の効果と同様の効果が得られる。また、電力量計に電力量計用通信装置を設置後、ワイヤ３３等により簡単に封印することができるので、封印作業性が向上する。
【産業上の利用可能性】
【００４８】
本発明は、電力量計の計量値を上位端末で自動検針する自動検針システムに適用可能である。
【図面の簡単な説明】
【００４９】
【図１】本発明の実施例１に係る電力量計用通信装置を電力量計へ取付けた状態を示す外観斜視図である。
【図２】本発明の実施例１に係る電力量計用通信装置の分解斜視図である。
【図３】本発明の通信端子及び電源端子を示す構造図である。
【図４】本発明の実施例１に係る電力量計用通信装置を電力量計に取り付ける前の状態を示す外観斜視図である。
【図５】本発明の実施例１に係る電力量計用通信装置を化粧ボックス内に電力量計とともに取り付けた状態を示す外観斜視図である
【図６】本発明の実施例２及び実施例３に係る電力量計用通信装置を電力量計へ取り付けた状態を示す外観斜視図である。
【図７】本発明の実施例４に係る電力量計用通信装置の上ケースの外観斜視図である。
【図８】本発明の実施例５に係る電力量計用通信装置の上ケースの部分拡大斜視図である。
【図９】従来の電力量計用通信装置を電力量計へ取り付けた状態を示す外観斜視図である。
【符号の説明】
【００５０】
１          電力量計
２、２ａ    電力量計用通信装置
２ｂ        通信装置本体
２ｃ        端子ケース
３          配電線用端子
４          通信用端子
５          電源ケーブル
６          通信ケーブル
７          化粧ボックス
８          端子カバー
９          カバー端子部
１０        端子カバー固定用ねじ
１０ａ      上ケース固定用ねじ
１０ｂ      ねじ貫通穴
１１ａ      通信端子
１１ｂ      電源端子
１２        回路基板
１３        内ケース
１４        回路基板固定用ねじ
１５        上ケース
１６        内ケース固定用ねじ
１６ａ      内ケース固定ねじ穴
１７        パッキン
１８        プローブ
１９        ガイド
２０        バネ
２３        共用ケーブル
３０        リブ
３１        固定用穴
３２        封印穴
３３        ワイヤ
３４        封印玉  
【図１】
2006275789.tif 000003
【図２】
2006275789.tif 000004
【図３】
2006275789.tif 000005
【図４】
2006275789.tif 000006
【図５】
2006275789.tif 000007
【図６】
2006275789.tif 000008
【図７】
2006275789.tif 000009
【図８】
2006275789.tif 000010
【図９】
2006275789.tif 000011